(57)【要約】【課題】本発明は、配線形態の柔軟性を向上して工事コストの低減に寄与することができる光ドロップケーブルを提供することにある。【解決手段】複数の素線又はテープ心線からなる光ファイバ１３−１〜１３−４、１５−１〜１５−４を準備しておく。次いで、これらの光ファイバ１３−１〜１３−４、１５−１〜１５−４をセパレータ２１の略Ｓ字形状又はＺ字形状の隔壁２１ａ，２１ｂがなす空隙２３ａ，２３ｂに配置する。ケーブルシース１７には、収納部１９の中央部を２分割するための分割位置を示す略Ｖ字形状のノッチ部２７，２９を設ける。【選択図】　　　図１
2004109491.tif 000002
【特許請求の範囲】
【請求項１】
複数の素線又はテープ心線からなる光ファイバと、
断面略Ｓ字形状又はＺ字形状の隔壁がなす空隙に前記光ファイバを配置するセパレータと、
前記光ファイバを配置したセパレータを収納する収納部の中央部を２分割するための分割位置を示す略Ｖ字形状のノッチ部を設けた長尺形状のケーブルシースと、
前記ケーブルシースの収納部の近傍に設けられ伸長方向の張力を吸収する抗張力体とを備えたことを特徴とする光ドロップケーブル。
【請求項２】
前記ケーブルシースの短面に接続して前記光ファイバを支持する支持線とを備えたことを特徴とする請求項１記載の光ドロップケーブル。
【請求項３】
前記光ファイバに縦添えする緩衝層を有し、
前記光ファイバと緩衝層とを一体にして前記収納部に収納することを特徴とする請求項１記載の光ドロップケーブル。
【請求項４】
前記セパレータは、その隔壁がなす空隙を前記ケーブルシースの長面に対向する方向に開口するように配置したことを特徴とする請求項１記載の光ドロップケーブル。
【発明の詳細な説明】
【０００１】
【発明の属する技術分野】
本発明は、光ファイバネットワークの支線系に接続されているクロージャから例えば集合住宅の構内に引き落とすためのドロップケーブルに関し、特に、配線形態の柔軟性を向上して工事コストの低減に寄与することができる光ドロップケーブルに関する。
【０００２】
【従来の技術】
近年、高度情報通信社会の推進に向けて、ＦＴＴＨ（Ｆｉｂｅｒ　ｔｏ　ｔｈｅ　Ｈｏｍｅ）が提唱されている。このＦＴＴＨは、個々の家庭まで光ファイバを引き込んで、電話、コンピュータ通信、ＣＡＴＶ（ケーブル・テレビや光ネットワークの配線方法）などの通信サービスを統合して提供するネットワークであり、電話局の末端にリモート端末を設置しておき、そのリモート端末から幹線系の光ケーブルを敷設し、幹線上に設けられたクロージャから各家庭や集合住宅に光ドロップケーブルを敷設するものである。
【０００３】
従来の光ドロップケーブルは、１心または２心ケーブルであり、支線系に接続されているクロージャから例えば集合住宅に設けられた光成端箱にこの光ドロップケーブルを引き込み、さらに、光成端箱を経由して光ドロップケーブルを例えば集合住宅の各家庭に設けられたローゼットまで配線するものである。
【０００４】
このような従来の光ドロップケーブルは、例えば特許文献１に開示されたものがある。この光ドロップケーブル１０１は、図８に示すように光ファイバ心線１０３の両側に抗張力体１０５を配置し、これらを一括して被覆１０７を施し、抗張力体１０５と被覆１０７との間に、抗張力体１０５と被覆１０７との接着性を高めることができる接着剤層１０９を介在させている。
【０００５】
また、従来の光ドロップケーブル１１１は、図９に示すように１心の素線又は２心のテープ心線からなる光ファイバ１１３が長尺形状のケーブルシース１１７に設けられた収納部１１５に収納されており、ケーブルシース１１７の収納部１１５の近傍に伸長方向の張力を吸収する抗張力体１１９が設けられている。さらに、ケーブルシース１１７の短尺面（短面）に光ファイバ１１３を支持するテンションメンバ１２１がネック１２３とともに一体成形されている。
【０００６】
【特許文献１】
特開２０００−１７１６７３
【０００７】
【発明が解決しようとする課題】
しかしながら、上述したそれぞれの従来の光ドロップケーブルは、その心数が１心または２心であるため、１本の光ドロップケーブルから１つの家庭にしか引き落としができない。このため、集合住宅などでは、戸数に見合っただけの光ドロップケーブルの条数が必要となる。
【０００８】
また、新規加入の都度、クロージャから各家庭のローゼットまで光ドロップケーブルを敷設する工事が必要になり、敷設工事の所要時間がかかるので、コスト上昇の要因になるといった問題があった。
【０００９】
さらに、それぞれの従来の光ドロップケーブルは、側圧や曲げなどの外力により光ファイバに歪みが加わり、この光ファイバの歪みによって損失増加などの劣化を発生させるという問題もあった。
【００１０】
本発明は、上記に鑑みてなされたもので、その目的としては、配線形態の柔軟性を向上して工事コストの低減に寄与することができる光ドロップケーブルを提供することにある。
【００１１】
【課題を解決するための手段】
請求項１記載の発明は、上記課題を解決するため、複数の素線又はテープ心線からなる光ファイバと、断面略Ｓ字形状又はＺ字形状の隔壁がなす空隙に前記光ファイバを配置するセパレータと、前記光ファイバを配置したセパレータを収納する収納部の中央部を２分割するための分割位置を示す略Ｖ字形状のノッチ部を設けた長尺形状のケーブルシースと、前記ケーブルシースの収納部の近傍に設けられ伸長方向の張力を吸収する抗張力体とを備えたことを要旨とする。
【００１２】
請求項２記載の発明は、上記課題を解決するため、前記ケーブルシースの短面に接続して前記光ファイバを支持する支持線とを備えたことを要旨とする。
【００１３】
請求項３記載の発明は、上記課題を解決するため、前記光ファイバに縦添えする緩衝層を有し、前記光ファイバと緩衝層とを一体にして前記収納部に収納することを要旨とする。
【００１４】
請求項４記載の発明は、上記課題を解決するため、前記セパレータは、その隔壁がなす空隙を前記ケーブルシースの長面に対向する方向に開口するように配置したことを要旨とする。
【００１５】
【発明の実施の形態】
以下、本発明の実施の形態を図面を参照して説明する。
【００１６】
（第１の実施の形態）
図１は、本発明の第１の実施の形態に係る光ドロップケーブル１１の構成を示す断面図である。
【００１７】
図１に示す光ドロップケーブル１１は、光ファイバ１３−１〜１３−４、１５−１〜１５−４、ケーブルシース１７、収納部１９、セパレータ２１、ノッチ部２７，２９、抗張力体３１，３３から構成されている。
【００１８】
ケーブルシース１７の断面中央には、断面円形の収納部１９が設けられ、この収納部１９には断面略Ｚ字状に形成されたセパレータ２１が収納されている。このセパレータ２１は、樹脂材として厚さ０．２ｍｍのポリエチレン製テープからなり、略円弧形状の隔壁２１ａ，２１ｂがなす略半円形状の空隙２３ａ，２３ｂがそれぞれ形成される。
【００１９】
なお、このセパレータ２１は、上記のようなポリエチレン製テープに代えて不織布に吸水性パウダーを付着させた吸水性テープを用いるようにしてもよい。
【００２０】
また、これらの隔壁２１ａ，２１ｂがなす空隙２３ａ，２３ｂは、ケーブルシース１７の長尺面（以下、長面という。）１７ａに対向する方向に開口部２５ａ，２５ｂが位置するようにセパレータ２１が配置される。
【００２１】
光ファイバ１３−１〜１３−４、１５−１〜１５−４は、１心の素線又は２心のテープ心線からなり、ケーブルシース１７に設けられた収納部１９において、セパレータ２１の空隙２３ａ，２３ｂ内にそれぞれ４心づつ収納配置される。
【００２２】
つまり、セパレータ２１は、隔壁２１ａが略円弧形状に折り曲げられ、その空隙２３ａ内に光ファイバ１３−１〜１３−４が巻き込まれるように収納配置される一方、隔壁２１ａと対称に隔壁２１ｂが逆に略円弧形状に折り曲げられ、その空隙２３ｂ内に光ファイバ１５−１〜１５−４が巻き込まれるように収納配置される。
【００２３】
ケーブルシース１７は、断面寸法が横５．９ｍｍ，縦２．６ｍｍの長尺形状で、低密度の難燃ポリエチレンからなり、収納部１９におけるセパレータ２１の各空隙２３ａ，２３ｂ内に光ファイバ１３−１〜１３−４、１５−１〜１５−４をそれぞれ収納して被覆する。また、ケーブルシース１７は、その長面１７ａに収納部１９に対して直交するように、収納部１９の中央部を２分割するための分割位置を示す略Ｖ字形状のノッチ部２７，２９を切欠き形成している。
【００２４】
さらに、ケーブルシース１７は、収納部１９の縦断面近傍であって、収納部１９と並列に伸長方向の張力を吸収する亜鉛めっきなどの防食処理が施された外径０．４ｍｍの鋼線からなる２本の抗張力体３１，３３をそれぞれ被覆している。なお、これらの抗張力体３１，３３は、上記のような０．４ｍｍの鋼線の代わりに、ガラスＦＲＰやケブラーなどのアラミド繊維を用いることも可能である。
【００２５】
次に、図１を参照して、光ドロップケーブル１１の作用効果について説明する。
【００２６】
まず、図１に示すように、複数の素線又はテープ心線からなる光ファイバ１３−１〜１３−４、１５−１〜１５−４を準備しておく。
【００２７】
次いで、セパレータ２１は、幅方向に略円弧形状に折り曲げられ、略円弧形状の隔壁２１ａがなす略半円形状の空隙２３ａ内に光ファイバ１３−１〜１３−４を、隔壁２１ａと対称に隔壁２１ｂが逆に略円弧形状に折り曲げられ、略円弧形状の隔壁２１ｂがなす略半円形状の空隙２３ｂ内に光ファイバ１５−１〜１５−４をそれぞれ巻き込むように収納配置する。
【００２８】
ケーブルシース１７には、収納部１９に対して直交する上下の長面１７ａに、分割位置を示す略Ｖ字形状のノッチ部２７，２９がそれぞれ切欠き形成され、ケーブルシース１７の収納部１９の断面近傍にケーブルの伸長方向の張力を吸収する抗張力体３１，３３が設けられる。
【００２９】
このように本実施の形態では、収納部１９内においてセパレータ２１の空隙２３ａ，２３ｂ内にそれぞれ４心づつ光ファイバ１３−１〜１３−４、１５−１〜１５−４を収納配置して被覆し、また長面１７ａに収納部１９に対して直交するように、収納部１９の中央部を２分割するための分割位置を示す略Ｖ字形状のノッチ部２７，２９を切欠き形成しているので、ノッチ部２７，２９を中心に↑↓方向に逆の力を加えてケーブルシース１７を引き裂いて２分割することにより、光ファイバ１３−１〜１３−４、１５−１〜１５−４を容易に取り出すことができる。
【００３０】
すなわち、ケーブルシース１７は、長面１７ａにおいてノッチ部２７，２９の切欠き方向に対して互いに逆方向にせん断力を加えることで、ケーブルシース１７を引き裂いて２分割することができる。
【００３１】
また、本実施の形態では、光ドロップケーブル１１を２分割しても、光ファイバ１３−１〜１３−４、１５−１〜１５−４が抗張力体３１，３３を有しているので、ケーブルの伸長方向の張力を吸収することができる。
【００３２】
さらに、本実施の形態では、ケーブルシース１７の収納部１９においてセパレータ２１の空隙２３ａ，２３ｂ内にそれぞれ４心づつ光ファイバ１３−１〜１３−４、１５−１〜１５−４を収納配置したことにより、１本のケーブルで複数のユーザに配線することができる。
【００３３】
さらにまた、本実施の形態では、収納部１９がセパレータ２１により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００３４】
これら８心の光ファイバ１３−１〜１３−４、１５−１〜１５−４の場合には、例えば空隙２３ａ内に収納される光ファイバ１３−１〜１３−４に識別色である「青」色、「黄」色、「緑」色、「赤」色の塗料を順に塗布するとともに、空隙２３ｂ内に収納される光ファイバ１５−１〜１５−４に識別色である「紫」色、「黄」色、「緑」色、「赤」色の塗料を順に塗布することにより、識別用の着色数は５色で済むことになる。
【００３５】
このことから、本実施の形態によれば、光ファイバの心数分のユーザに対して１本のケーブルを敷設すればよいことになり、配線工事コストを削減することができる。また、ケーブルシース１７の収納部１９にセパレータ２１を設けたことにより、このセパレータ２１がケーブル側面に対する補強材となるため、側圧がケーブルに加わったときに潰れにくくなり、光ファイバに側圧が加わることがなくなる。そして、ケーブルが曲げられた場合には、セパレータ２１とケーブルシース１７とのクリアランスで光ファイバが自由に移動することができる。その結果、光ファイバに異常な歪みが加わることがなくなり、損失の増加を未然に防止することが可能となる。
【００３６】
さらに、本実施の形態によれば、セパレータ２１は、その隔壁２１ａ，２１ｂがなす空隙２３ａ，２３ｂをケーブルシース１７の長面１７ａに対向する方向に開口するように配置したことにより、光ファイバの曲げによる歪みや側圧により損失の増加を一段と確実に防止することができるとともに、光ファイバ１３−１〜１３−４、１５−１〜１５−４がケーブルシース１７の長面１７ａに対して交差する方向に移動することができる。
【００３７】
また、本実施の形態によれば、セパレータ２１を不織布に吸水性パウダーを付着させた吸水性テープとした場合には、防水特性を向上させることができる。
【００３８】
（第２の実施の形態）
図２は、本発明の第２の実施の形態に係る光ドロップケーブル４１の構成を示す断面図である。なお、本実施の形態では、前記第１の実施の形態と同一の部分には、図１と同一の符号を用いて説明する。他の実施の形態も同様である。
【００３９】
図２に示す光ドロップケーブル４１は、図１に示す光ドロップケーブル１１に対して、ケーブルシース４３を形成する際にネック４５を介して支持線としてのテンションメンバ４７を付け加えている。このテンションメンバ４７には、１．２ｍｍの鋼線を使用している。
【００４０】
すなわち、本実施の形態の光ドロップケーブル４１は、ケーブルシース４３の短尺面（以下、短面という。）４３ａにネック４５を介して光ファイバ１３−１〜１３−４、１５−１〜１５−４を支持するテンションメンバ４７が接続されるように、ケーブルシース４３の短面４３ａにネック４５を介してテンションメンバ４７が一体成形されている。
【００４１】
次に、図２を参照して、光ドロップケーブル４１の作用効果について説明する。
【００４２】
まず、図２に示すように、複数の素線又はテープ心線からなる光ファイバ１３−１〜１３−４、１５−１〜１５−４を準備しておく。
【００４３】
次いで、セパレータ２１の空隙２３ａ内に光ファイバ１３−１〜１３−４を、空隙２３ｂ内に光ファイバ１５−１〜１５−４をそれぞれ収納配置する。
【００４４】
ケーブルシース４３には、収納部１９に対して直交する長面４３ｂに、分割位置を示す略Ｖ字形状のノッチ部２７，２９が切欠き形成され、ケーブルシース４３の収納部１９の断面近傍にケーブルの伸長方向の張力を吸収する抗張力体３１，３３が設けられる。また、ケーブルシース４３を形成する際にネック４５を介してテンションメンバ４７を付け加える。
【００４５】
このように本実施の形態では、収納部１９内においてセパレータ２１の空隙２３ａ，２３ｂ内にそれぞれ４心づつ光ファイバ１３−１〜１３−４、１５−１〜１５−４を収納配置して被覆し、また長面４３ｂに収納部１９に対して直交するように、収納部１９の中央部を２分割するための分割位置を示す略Ｖ字形状のノッチ部２７，２９を切欠き形成し、さらにテンションメンバ４７を被覆しているので、支線系に設けられたクロージャ（図示しない）から集合住宅に設けられた光成端箱（図示しない）まで光ドロップケーブル４１を引き込むことができる。
【００４６】
また、集合住宅内では、ノッチ部２７，２９を中心に↑↓方向に逆の力を加えてケーブルシース４３を引き裂いて２分割することができ、光ファイバ１３−１〜１３−４、１５−１〜１５−４を容易に取り出すことができる。
【００４７】
すなわち、ケーブルシース４３は、長面４３ｂにおいてノッチ部２７，２９の切欠き方向に対して互いに逆方向にせん断力を加えることで、ケーブルシース４３を引き裂いて２分割することができる。
【００４８】
また、本実施の形態では、光ドロップケーブル４１を２分割してもそれぞれの系統の光ファイバ１３−１〜１３−４、１５−１〜１５−４が抗張力体３１，３３を有しているので、ケーブルの伸長方向の張力を吸収することができる。そして、ケーブルシース４３の短面４３ａに接続して光ファイバ１３−１〜１３−４、１５−１〜１５−４を支持するテンションメンバ４７を備えたので、ケーブル自体の引張強度を高めることができ、敷設する際の取扱い性及び信頼性を向上させることができる。
【００４９】
さらに、本実施の形態では、ケーブルシース４３の収納部１９においてセパレータ２１の空隙２３ａ，２３ｂ内にそれぞれ４心づつ光ファイバ１３−１〜１３−４、１５−１〜１５−４を収納配置したことにより、１本のケーブルで複数のユーザに配線することができる。
【００５０】
さらにまた、本実施の形態では、収納部１９がセパレータ２１により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００５１】
これら８本の光ファイバ１３−１〜１３−４、１５−１〜１５−４の場合には、例えば空隙２３ａ内に収納される光ファイバ１３−１〜１３−４に識別色である「青」色、「黄」色、「緑」色、「赤」色の塗料を順に塗布するとともに、空隙２３ｂ内に収納される光ファイバ１５−１〜１５−４に識別色である「紫」色、「黄」色、「緑」色、「赤」色の塗料を順に塗布することにより、識別用の着色数は５色で済むことになる。
【００５２】
このことから、本実施の形態によれば、光ファイバの心数分のユーザに対して１本のケーブルを敷設すればよいことになり、配線工事コストを削減することができる。また、ケーブルシース４３の収納部１９にセパレータ２１を設けたことにより、このセパレータ２１がケーブル側面に対する補強材となるため、側圧がケーブルに加わったときに潰れにくくなり、光ファイバに側圧が加わることがなくなる。そして、ケーブルが曲げられた場合には、セパレータ２１とケーブルシース４３とのクリアランスで光ファイバが自由に移動することができる。その結果、光ファイバに異常な歪みが加わることがなくなり、損失の増加を未然に防止することが可能となる。
【００５３】
さらに、本実施の形態によれば、セパレータ２１は、その隔壁２１ａ，２１ｂがなす空隙２３ａ，２３ｂをケーブルシース４３の長面４３ｂに対向する方向に開口するように配置したことにより、光ファイバの曲げによる歪みや側圧により損失の増加を一段と確実に防止することができるとともに、光ファイバ１３−１〜１３−４、１５−１〜１５−４がケーブルシース４３の長面４３ｂに対して交差する方向に移動することができる。
【００５４】
（第３の実施の形態）
図３は、本発明の第３の実施の形態に係る光ドロップケーブル５１の構成を示す断面図である。
【００５５】
図３に示す光ドロップケーブル５１は、図２に示す光ドロップケーブル４１に対して、収納部１９のセパレータ２１の各空隙２３ａ，２３ｂ内において、光ファイバ１３−１〜１３−４、１５−１〜１５−４の４心づつにそれぞれ緩衝層５５が縦添えされて配置される。この緩衝層５５は、アラミド繊維、ケブラー繊維またはＰＰヤーンからなる。
【００５６】
ケーブルシース５３は、収納部１９のセパレータ２１の各空隙２３ａ，２３ｂ内に配置された光ファイバ１３−１〜１３−４、１５−１〜１５−４を緩衝層５５とともに収納して被覆する。
【００５７】
次に、図３を参照して、光ドロップケーブル５１の作用効果について説明する。
【００５８】
まず、図３に示すように、複数の素線又はテープ心線からなる光ファイバ１３−１〜１３−４、１５−１〜１５−４を準備しておく。
【００５９】
次いで、これらの光ファイバ１３−１〜１３−４、１５−１〜１５−４に対して緩衝層５５を縦添えしてケーブルシース５３に設けられた収納部１９のセパレータ２１の各空隙２３ａ，２３ｂ内にそれぞれ収容配置する。
【００６０】
このケーブルシース５３には、収納部１９に対して直交する長面５３ａに、分割位置を示す略Ｖ字形状のノッチ部２７，２９が切欠き形成され、ケーブルシース５３の収納部１９の断面近傍にケーブルの伸長方向の張力を吸収する抗張力体３１，３３が設けられる。また、ケーブルシース５３を形成する際にネック４５を介してテンションメンバ４７を付け加える。
【００６１】
このように本実施の形態では、収納部１９内においてセパレータ２１の空隙２３ａ，２３ｂ内にそれぞれ４心づつ光ファイバ１３−１〜１３−４、１５−１〜１５−４を収納配置して被覆し、また長面５３ａに収納部１９に対して直交するように、収納部１９の中央部を２分割するための分割位置を示す略Ｖ字形状のノッチ部２７，２９を切欠き形成し、さらにテンションメンバ４７を被覆しているので、支線系に設けられたクロージャ（図示しない）から集合住宅に設けられた光成端箱（図示しない）まで光ドロップケーブル５１を引き込むことができる。
【００６２】
また、集合住宅内では、ノッチ部２７，２９を中心に↑↓方向に逆の力を加えてケーブルシース５３を引き裂いて２分割することができ、光ファイバ１３−１〜１３−４、１５−１〜１５−４を容易に取り出すことができる。
【００６３】
すなわち、ケーブルシース５３は、長面５３ａにおいてノッチ部２７，２９の切欠き方向に対して互いに逆方向にせん断力を加えることで、ケーブルシース５３を引き裂いて２分割することができる。
【００６４】
また、本実施の形態では、光ドロップケーブル５１を２分割してもそれぞれの系統の光ファイバ１３−１〜１３−４、１５−１〜１５−４が抗張力体３１，３３を有しているので、ケーブルの伸長方向の張力を吸収することができる。そして、ケーブルシース５３の短面５３ｂに接続して光ファイバ１３−１〜１３−４、１５−１〜１５−４を支持するテンションメンバ４７を備えたので、ケーブル自体の引張強度を高めることができ、敷設する際の取扱い性及び信頼性を向上させることができる。また、光ファイバ１３−１〜１３−４、１５−１〜１５−４と緩衝層５５とを一体にして収納部１９に収納するので、光ファイバ１３−１〜１３−４、１５−１〜１５−４に加わる外力を緩衝層５５で緩和することができる。
【００６５】
さらに、本実施の形態では、ケーブルシース５３の収納部１９においてセパレータ２１の空隙２３ａ，２３ｂ内にそれぞれ４心づつ光ファイバ１３−１〜１３−４、１５−１〜１５−４を収納配置したことにより、１本のケーブルで複数のユーザに配線することができる。
【００６６】
さらにまた、本実施の形態では、収納部１９がセパレータ２１により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００６７】
これら８本の光ファイバ１３−１〜１３−４、１５−１〜１５−４の場合には、例えば空隙２３ａ内に収納される光ファイバ１３−１〜１３−４に識別色である「青」色、「黄」色、「緑」色、「赤」色の塗料を順に塗布するとともに、空隙２３ｂ内に収納される光ファイバ１５−１〜１５−４に識別色である「紫」色、「黄」色、「緑」色、「赤」色の塗料を順に塗布することにより、識別用の着色数は５色で済むことになる。
【００６８】
このことから、本実施の形態によれば、光ファイバの心数分のユーザに対して１本のケーブルを敷設すればよいことになり、配線工事コストを削減することができる。また、ケーブルシース５３の収納部１９にセパレータ２１を設けたことにより、このセパレータ２１がケーブル側面に対する補強材となるため、側圧がケーブルに加わったときに潰れにくくなり、光ファイバに側圧が加わることがなくなる。そして、ケーブルが曲げられた場合には、セパレータ２１とケーブルシース５３とのクリアランスで光ファイバが自由に移動することができる。その結果、光ファイバに異常な歪みが加わることがなくなり、損失の増加を未然に防止することが可能となる。
【００６９】
さらに、本実施の形態によれば、セパレータ２１は、その隔壁２１ａ，２１ｂがなす空隙２３ａ，２３ｂをケーブルシース５３の長面５３ａに対向する方向に開口するように配置したことにより、光ファイバの曲げによる歪みや側圧により損失の増加を一段と確実に防止することができるとともに、光ファイバ１３−１〜１３−４、１５−１〜１５−４がケーブルシース５３の長面５３ａに対して交差する方向に移動することができる。
【００７０】
（第４の実施の形態）
図４は、本発明の第４の実施の形態に係る光ドロップケーブル６１の構成を示す断面図である。
【００７１】
図４に示す光ドロップケーブル６１は、図１に示す光ドロップケーブル１１に対して、収納部１９のセパレータ２１の形状を異なるようにしたものである。すなわち、ケーブルシース６３の収納部１９に収納されるセパレータ６５は、樹脂材として断面略Ｓ字形状のポリエチレン製テープからなり、略円弧形状の隔壁６５ａ，６５ｂがなす略半円形状の空隙６７ａ，６７ｂがそれぞれ形成される。
【００７２】
また、これらの隔壁６５ａ，６５ｂがなす空隙６７ａ，６７ｂは、ケーブルシース６３の長面６３ａに対向する方向に開口部６９ａ，６９ｂが位置するようにセパレータ６３が配置される。
【００７３】
光ファイバ１３−１〜１３−４、１５−１〜１５−４は、１心の素線又は２心のテープ心線からなり、ケーブルシース６３に設けられた収納部１９において、セパレータ６５の空隙６７ａ，６７ｂ内にそれぞれ４心づつ収納配置される。
【００７４】
つまり、セパレータ６５は、隔壁６５ａが略円弧形状に折り曲げられ、その空隙６７ａ内に光ファイバ１３−１〜１３−４が巻き込まれるように収納配置される一方、隔壁６５ａと対称に隔壁６５ｂが逆に略円弧形状に折り曲げられ、その空隙６７ｂ内に光ファイバ１５−１〜１５−４が巻き込まれるように収納配置される。その他の構成は前記第１の実施の形態と同様であるので、その説明を省略する。
【００７５】
次に、図４を参照して、光ドロップケーブル６１の作用効果について説明する。
【００７６】
まず、図４に示すように、複数の素線又はテープ心線からなる１３−１〜１３−４、１５−１〜１５−４を準備しておく。
【００７７】
次いで、セパレータ６５の空隙６７ａ内に光ファイバ１３−１〜１３−４を、空隙６７ｂ内には光ファイバ１５−１〜１５−４をそれぞれ収納配置する。
【００７８】
次いで、セパレータ６５は、幅方向に略円弧形状に折り曲げられ、略円弧形状の隔壁６５ａがなす略半円形状の空隙６７ａ内に光ファイバ１３−１〜１３−４を、隔壁６５ａと対称に隔壁６７ｂが逆に略円弧形状に折り曲げられ、略円弧形状の隔壁６５ｂがなす略半円形状の空隙６７ｂ内に光ファイバ１５−１〜１５−４をそれぞれ巻き込むように収納配置する。
【００７９】
ケーブルシース６３には、収納部１９に対して直交する長面６３ａに、分割位置を示す略Ｖ字形状のノッチ部２７，２９が切欠き形成され、ケーブルシース６３の収納部１９の断面近傍にケーブルの伸長方向の張力を吸収する抗張力体３１，３３が設けられる。
【００８０】
このように本実施の形態では、収納部１９内においてセパレータ６５の空隙６７ａ，６７ｂ内にそれぞれ４心づつ光ファイバ１３−１〜１３−４、１５−１〜１５−４を収納配置して被覆し、また長面６３ａに収納部１９に対して直交するように、収納部１９の中央部を２分割するための分割位置を示す略Ｖ字形状のノッチ部２７，２９を切欠き形成しているので、ノッチ部２７，２９を中心に↑↓方向に逆の力を加えてケーブルシース６３を引き裂いて２分割することで、光ファイバ１３−１〜１３−４、１５−１〜１５−４を容易に取り出すことができる。
【００８１】
すなわち、ケーブルシース６３は、長面６３ａにおいてノッチ部２７，２９の切欠き方向に対して互いに逆方向にせん断力を加えることで、ケーブルシース６３を引き裂いて２分割することができる。
【００８２】
また、本実施の形態では、光ドロップケーブル６１を２分割してもそれぞれの系統の光ファイバ１３−１〜１３−４、１５−１〜１５−４が抗張力体３１，３３を有しているので、ケーブルの伸長方向の張力を吸収することができる。
【００８３】
さらに、本実施の形態では、ケーブルシース６３の収納部１９においてセパレータ６５の空隙６７ａ，６７ｂ内にそれぞれ４心づつ光ファイバ１３−１〜１３−４、１５−１〜１５−４を収納配置したことにより、１本のケーブルで複数のユーザに配線することができる。
【００８４】
さらにまた、本実施の形態では、収納部２３がセパレータ６５により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００８５】
これら８本の光ファイバ１３−１〜１３−４、１５−１〜１５−４の場合には、例えば空隙６７ａ内に収納される光ファイバ１３−１〜１３−４に識別色である「青」色、「黄」色、「緑」色、「赤」色の塗料を順に塗布するとともに、空隙６７ｂ内に収納される光ファイバ１５−１〜１５−４に識別色である「紫」色、「黄」色、「緑」色、「赤」色の塗料を順に塗布することにより、識別用の着色数は５色で済むことになる。
【００８６】
このことから、本実施の形態によれば、光ファイバの心数分のユーザに対して１本のケーブルを敷設すればよいことになり、配線工事コストを削減することができる。また、ケーブルシース６３の収納部１９にセパレータ６５を設けたことにより、このセパレータ６５がケーブル側面に対する補強材となるため、側圧がケーブルに加わったときに潰れにくくなり、光ファイバに側圧が加わることがなくなる。そして、ケーブルが曲げられた場合には、セパレータ６５とケーブルシース６３とのクリアランスで光ファイバが自由に移動することができる。その結果、光ファイバに異常な歪みが加わることがなくなり、損失の増加を未然に防止することが可能となる。
【００８７】
さらに、本実施の形態によれば、セパレータ６５は、その隔壁６５ａ，６５ｂがなす空隙６７ａ，６７ｂをケーブルシース６３の長面６３ａに対向する方向に開口するように配置したことにより、光ファイバの曲げによる歪みや側圧により損失の増加を一段と確実に防止することができるとともに、光ファイバ１３−１〜１３−４、１５−１〜１５−４がケーブルシース６３の長面６３ａに対して交差する方向に移動することができる。
【００８８】
（第５の実施の形態）
図５は、本発明の第５の実施の形態に係る光ドロップケーブル７１の構成を示す断面図である。
【００８９】
図５に示す光ドロップケーブル７１は、図４に示す光ドロップケーブル６１に対して、ケーブルシース７３を形成する際にネック７５を介して支持線としてのテンションメンバ７７を付け加えている。このテンションメンバ７７には、１．２ｍｍの鋼線を使用している。
【００９０】
すなわち、本実施の形態の光ドロップケーブル７１は、ケーブルシース７３の短面７３ａにネック７５を介して光ファイバ１３−１〜１３−４、１５−１〜１５−４を支持するテンションメンバ７７が接続されるように、ケーブルシース７３の短面７３ａにネック７５を介してテンションメンバ７７が一体成形されている。
【００９１】
次に、図５を参照して、光ドロップケーブル７１の作用効果について説明する。
【００９２】
まず、図５に示すように、複数の素線又はテープ心線からなる光ファイバ１３−１〜１３−４、１５−１〜１５−４を準備しておく。
【００９３】
ケーブルシース７３には、収納部１９に対して直交する長面７３ｂに、分割位置を示す略Ｖ字形状のノッチ部２７，２９が切欠き形成され、ケーブルシース７３の収納部１９の断面近傍にケーブルの伸長方向の張力を吸収する抗張力体３１，３３が設けられる。また、ケーブルシース７３を形成する際にネック７５を介してテンションメンバ７７を付け加える。
【００９４】
このように本実施の形態では、収納部１９内においてセパレータ６５の空隙６７ａ，６７ｂ内にそれぞれ４心づつ光ファイバ１３−１〜１３−４、１５−１〜１５−４を収納配置して被覆し、また長面７３ｂに収納部１９に対して直交するように、収納部１９の中央部を２分割するための分割位置を示す略Ｖ字形状のノッチ部２７，２９を切欠き形成し、さらにテンションメンバ７７を被覆しているので、支線系に設けられたクロージャ（図示しない）から集合住宅に設けられた光成端箱（図示しない）まで光ドロップケーブル７１を引き込むことができる。
【００９５】
また、集合住宅内では、ノッチ部２７，２９を中心に↑↓方向に逆の力を加えてケーブルシース７３を引き裂いて２分割することができ、光ファイバ１３−１〜１３−４、１５−１〜１５−４を容易に取り出すことができる。
【００９６】
すなわち、ケーブルシース７３は、長面７３ｂにおいてノッチ部２７，２９の切欠き方向に対して互いに逆方向にせん断力を加えることで、ケーブルシース７３を引き裂いて２分割することができる。
【００９７】
また、本実施の形態では、光ドロップケーブル７１を２分割してもそれぞれの系統の光ファイバ１３−１〜１３−４、１５−１〜１５−４が抗張力体３１，３３を有しているので、ケーブルの伸長方向の張力を吸収することができる。そして、ケーブルシース７３の短面７３ａに接続して光ファイバ１３−１〜１３−４、１５−１〜１５−４を支持するテンションメンバ７７を備えたので、ケーブル自体の引張強度を高めることができ、敷設する際の取扱い性及び信頼性を向上させることができる。
【００９８】
さらに、本実施の形態では、ケーブルシース７３の収納部１９においてセパレータ６５の空隙６７ａ，６７ｂ内にそれぞれ４心づつ光ファイバ１３−１〜１３−４、１５−１〜１５−４を収納配置したことにより、１本のケーブルで複数のユーザに配線することができる。
【００９９】
さらにまた、本実施の形態では、収納部１９がセパレータ６５により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【０１００】
これら８本の光ファイバ１３−１〜１３−４、１５−１〜１５−４の場合には、例えば空隙６７ａ内に収納される光ファイバ１３−１〜１３−４に識別色である「青」色、「黄」色、「緑」色、「赤」色の塗料を順に塗布するとともに、空隙６７ｂ内に収納される光ファイバ１５−１〜１５−４に識別色である「紫」色、「黄」色、「緑」色、「赤」色の塗料を順に塗布することにより、識別用の着色数は５色で済むことになる。
【０１０１】
このことから、本実施の形態によれば、光ファイバの心数分のユーザに対して１本のケーブルを敷設すればよいことになり、配線工事コストを削減することができる。また、ケーブルシース７３の収納部２３にセパレータ６５を設けたことにより、このセパレータ６５がケーブル側面に対する補強材となるため、側圧がケーブルに加わったときに潰れにくくなり、光ファイバに側圧が加わることがなくなる。そして、ケーブルが曲げられた場合には、セパレータ６５とケーブルシース７３とのクリアランスで光ファイバが自由に移動することができる。その結果、光ファイバに異常な歪みが加わることがなくなり、損失の増加を未然に防止することが可能となる。
【０１０２】
さらに、本実施の形態によれば、セパレータ６５は、その隔壁６５ａ，６５ｂがなす空隙６７ａ，６７ｂをケーブルシース７３の長面７３ｂに対向する方向に開口するように配置したことにより、光ファイバの曲げによる歪みや側圧により損失の増加を一段と確実に防止することができるとともに、光ファイバ１３−１〜１３−４、１５−１〜１５−４がケーブルシース７３の長面７３ａに対して交差する方向に移動することができる。
【０１０３】
（第６の実施の形態）
図６は、本発明の第６の実施の形態に係る光ドロップケーブル８１の構成を示す断面図である。
【０１０４】
図６に示す光ドロップケーブル８１は、図４に示す光ドロップケーブル６１に対して、収納部１９のセパレータ６５の各空隙６７ａ，６７ｂ内において、光ファイバ１３−１〜１３−４、１５−１〜１５−４の４心づつにそれぞれ緩衝層８５が縦添えされて配置される。この緩衝層８５は、アラミド繊維、ケブラー繊維またはＰＰヤーンからなる。
【０１０５】
ケーブルシース８３は、収納部１９のセパレータ６５の各空隙６７ａ，６７ｂ内に配置された光ファイバ１３−１〜１３−４、１５−１〜１５−４を緩衝層８５とともに収納して被覆する。
【０１０６】
次に、図６を参照して、光ドロップケーブル８１の作用効果について説明する。
【０１０７】
まず、図６に示すように、複数の素線又はテープ心線からなる光ファイバ１３−１〜１３−４、１５−１〜１５−４を準備しておく。
【０１０８】
次いで、これらの光ファイバ１３−１〜１３−４、１５−１〜１５−４に対して緩衝層８５を縦添えしてケーブルシース８３が設けられた収納部１９のセパレータ６５の各空隙６７ａ，６７ｂ内にそれぞれ収容配置する。
【０１０９】
このケーブルシース８３には、収納部１９に対して直交する長面８３ａに、分割位置を示す略Ｖ字形状のノッチ部２７，２９が切欠き形成され、ケーブルシース８３の収納部１９の断面近傍にケーブルの伸長方向の張力を吸収する抗張力体３１，３３が設けられる。また、ケーブルシース８３を形成する際にネック７５を介してテンションメンバ７７を付け加える。
【０１１０】
このように本実施の形態では、収納部１９内においてセパレータ６５の空隙６７ａ，６７ｂ内にそれぞれ４心づつ光ファイバ１３−１〜１３−４、１５−１〜１５−４を収納配置して被覆し、また長面８３ａに収納部１９に対して直交するように、収納部１９の中央部を２分割するための分割位置を示す略Ｖ字形状のノッチ部２７，２９を切欠き形成し、さらにテンションメンバ７７を被覆しているので、支線系に設けられたクロージャ（図示しない）から集合住宅に設けられた光成端箱（図示しない）まで光ドロップケーブル７１を引き込むことができる。
【０１１１】
また、集合住宅内では、ノッチ部２７，２９を中心に↑↓方向に逆の力を加えてケーブルシース８３を引き裂いて２分割することができ、光ファイバ１３−１〜１３−４、１５−１〜１５−４を容易に取り出すことができる。
【０１１２】
すなわち、ケーブルシース８３は、長面８３ａにおいてノッチ部２７，２９の切欠き方向に対して互いに逆方向にせん断力を加えることで、ケーブルシース８３を引き裂いて２分割することができる。
【０１１３】
また、本実施の形態では、光ドロップケーブル８１を２分割してもそれぞれの系統の光ファイバ１３−１〜１３−４、１５−１〜１５−４が抗張力体３１，３３を有しているので、ケーブルの伸長方向の張力を吸収することができる。そして、ケーブルシース８３の短面８３ｂに接続して光ファイバ１３−１〜１３−４、１５−１〜１５−４を支持するテンションメンバ７７を備えたので、ケーブル自体の引張強度を高めることができ、敷設する際の取扱い性及び信頼性を向上させることができる。また、光ファイバ１３−１〜１３−４、１５−１〜１５−４と緩衝層８５とを一体にして収納部２３に収納するので、光ファイバ１３−１〜１３−４、１５−１〜１５−４に加わる外力を緩衝層８５で緩和することができる。
【０１１４】
さらに、本実施の形態では、ケーブルシース８３の収納部１９においてセパレータ６５の空隙６７ａ，６７ｂ内にそれぞれ４心づつ光ファイバ１３−１〜１３−４、１５−１〜１５−４を収納配置したことにより、１本のケーブルで複数のユーザに配線することができる。
【０１１５】
さらにまた、本実施の形態では、収納部１９がセパレータ６５により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【０１１６】
これら８本の光ファイバ１３−１〜１３−４、１５−１〜１５−４の場合には、例えば空隙６７ａ内に収納される光ファイバ１３−１〜１３−４に識別色である「青」色、「黄」色、「緑」色、「赤」色の塗料を順に塗布するとともに、空隙６７ｂ内に収納される光ファイバ１５−１〜１５−４に識別色である「紫」色、「黄」色、「緑」色、「赤」色の塗料を順に塗布することにより、識別用の着色数は５色で済むことになる。
【０１１７】
このことから、本実施の形態によれば、光ファイバの心数分のユーザに対して１本のケーブルを敷設すればよいことになり、配線工事コストを削減することができる。また、ケーブルシース８３の収納部１９にセパレータ６５を設けたことにより、このセパレータ６５がケーブル側面に対する補強材となるため、側圧がケーブルに加わったときに潰れにくくなり、光ファイバに側圧が加わることがなくなる。そして、ケーブルが曲げられた場合には、セパレータ６５とケーブルシース８３とのクリアランスで光ファイバが自由に移動することができる。その結果、光ファイバに異常な歪みが加わることがなくなり、損失の増加を未然に防止することが可能となる。
【０１１８】
さらに、本実施の形態によれば、セパレータ６５は、その隔壁６５ａ，６５ｂがなす空隙６７ａ，６７ｂをケーブルシース８３の長面８３ａに対向する方向に開口するように配置したことにより、光ファイバの曲げによる歪みや側圧により損失の増加を一段と確実に防止することができるとともに、光ファイバ１３−１〜１３−４、１５−１〜１５−４がケーブルシース８３の長面８３ａに対して交差する方向に移動することができる。
【０１１９】
（第１実施例）
図７は、第１〜第３の実施の形態に示す光ドロップケーブルを敷設した様子を示す概略図である。
【０１２０】
図７に示すように、光ネットワークの支線系光ケーブル９１上に設けられているクロージャ９３に接続されている光ドロップケーブルは、他端が光成端箱９５を経由して集合住宅９７の各住宅に設けられたそれぞれのローゼット９９に接続されている。
【０１２１】
光成端箱９５から集合住宅９７の１Ｆ（１階）までは、ケーブルシースを裂かずにそのまま敷設されている。
【０１２２】
次いで、１Ｆにおいて、ケーブルシースの中央部分に設けられたノッチ部２７，２９から裂いて２分割する。
【０１２３】
この時、前記第１〜第６の実施の形態に示す光ドロップケーブル１１，４１，５１，６１，７１，８１に対しては、さらに、ニッパなどの工具を用いてケーブルシースに切り込みを入れて裂けば、光ファイバ１３−１〜１３−４、１５−１〜１５−４を容易に取り出すことができ、そして光ファイバ１３−１〜１３−４、１５−１〜１５−４を必要な長さだけ１Ｆ〜４Ｆに２本づつ敷設することができる。
【０１２４】
【発明の効果】
請求項１記載の本発明によれば、セパレータが断面略Ｓ字形状又はＺ字形状の隔壁がなす空隙に光ファイバを配置して保持することができるので、光ファイバの心数分のユーザに対して１本のケーブルを敷設すればよいことになり、配線工事コストを削減することができる。
【０１２５】
また、ケーブルシースの収納部に断面略Ｓ字形状又はＺ字形状のセパレータを設け、このセパレータがケーブル側面に対する補強材となるので、光ファイバに異常な歪みが加わることがなくなり、損失の増加を未然に防止することが可能となる。
【０１２６】
さらに、収納部が光ファイバを配置したセパレータにより分割されているので、光ファイバに識別用の着色やマーキングを施す際、色やマークの数を減らすことが可能となるとともに、相互の識別も容易になり配線工事での誤配線を未然に防止することができる。
【０１２７】
請求項２記載の本発明によれば、ケーブルシースの短面に接続して光ファイバを支持する支持線を備えたので、ケーブル自体の引張強度を高めることができ、敷設する際の取扱い性及び信頼性を向上させることができる。
【０１２８】
請求項３記載の本発明によれば、光ファイバに縦添えする緩衝層を有し、光ファイバと緩衝層とを一体にして収納部に収納するので、光ファイバに加わる外力を緩衝層で緩和することができる。
【０１２９】
請求項４記載の発明によれば、セパレータは、その隔壁がなす空隙をケーブルシースの長面に対向する方向に開口するように配置したことにより、光ファイバの曲げによる歪みや側圧により損失の増加を一段と確実に防止することができるとともに、光ファイバがケーブルシースの長面に対して交差する方向に移動することができる。
【図面の簡単な説明】
【図１】本発明の第１の実施の形態に係る光ドロップケーブルの構成を示す断面図である。
【図２】本発明の第２の実施の形態に係る光ドロップケーブルの構成を示す断面図である。
【図３】本発明の第３の実施の形態に係る光ドロップケーブルの構成を示す断面図である。
【図４】本発明の第４の実施の形態に係る光ドロップケーブルの構成を示す断面図である。
【図５】本発明の第５の実施の形態に係る光ドロップケーブルの構成を示す断面図である。
【図６】本発明の第６の実施の形態に係る光ドロップケーブルの構成を示す断面図である。
【図７】第１〜第６の実施の形態に示す光ドロップケーブルを敷設した様子を示す概略図である。
【図８】従来の光ドロップケーブルの構成を示す断面図である。
【図９】従来の他の光ドロップケーブルの構成を示す断面図である。
【符号の説明】
１１，４１，５１，６１，７１，８１　光ドロップケーブル
１３−１〜１３−４、１５−１〜１５−４　光ドロップケーブル
１７，４３，５３，６３，７３，８３　ケーブルシース
１７ａ，４３ｂ，５３ａ，６３ａ，７３ｂ，８３ａ　長面
１９　収納部
２１　セパレータ
２１ａ，２１ｂ　隔壁
２３ａ，２３ｂ　空隙
２７，２９　ノッチ部
３１，３３　抗張力体
４３ａ，５３ｂ，７３ａ，８３ｂ　短面
４５，７５　ネック
４７，７７　テンションメンバ（支持線）
５５，８５　緩衝層
６５　セパレータ
６５ａ，６５ｂ　隔壁
６７ａ，６７ｂ　空隙
【図１】
2004109491.tif 000003
【図２】
2004109491.tif 000004
【図３】
2004109491.tif 000005
【図４】
2004109491.tif 000006
【図５】
2004109491.tif 000007
【図６】
2004109491.tif 000008
【図７】
2004109491.tif 000009
【図８】
2004109491.tif 000010
【図９】
2004109491.tif 000011